(57)【要約】      （修正有）【課題】多様な閉じストリップが設けられている封筒に液状物質を無駄なく塗布する安価な装置を提供する。【解決手段】液状物質を封筒１２の定形閉じストリップ１３に塗布する装置１０において、液状物質のための供給装置１４と、供給された液状物質のための容器要素１７と、第１の円筒形要素１８と、第２の円筒形要素１９とを包含し、第１及び第２の円筒形要素１８，１９が、それらの平行軸線のまわりを回転すると共に、封筒１２のための通路を形成するように互いに対面して半径方向に配置され、供給装置１４が、液状物質のための他の容器要素１５と、この他の容器要素１５から容器要素１７への液状物質の通路となる接続要素１６とを包含し、また、第２の円筒形要素１９が側面２１を包含し、この側面２１の一部分が、定形閉じストリップ１３と補形し合う形状に形づくられて、側面２１が容器要素１７の下方部分の中に部分的に収容されている。【選択図】図１
2008279443.tif 000002
【特許請求の範囲】
【請求項１】
液状物質を封筒（１２，１２’，１２”）の定形閉じストリップ（１３，１３’，１３”）に塗布する装置（１０）において、前記液状物質のための供給装置（１４）と、供給された前記液状物質のための容器要素（１７）と、第１の円筒形要素（１８）と、第２の円筒形要素（１９）とを包含し、前記第１及び第２の円筒形要素（１８，１９）が、それらの平行軸線のまわりを回転すると共に、前記封筒（１２，１２’，１２”）のための通路を形成するように互いに対面して半径方向に配置され、前記供給装置（１４）が、前記液状物質のための他の容器要素（１５）と、この他の容器要素（１５）から前記容器要素（１７）への前記液状物質の通路となる接続要素（１６）とを包含し、また、前記第２の円筒形要素（１９）が側面（２１，２１’，２１”）を包含し、この側面（２１，２１’，２１”）が、前記容器要素（１７）の下方部分の中に部分的に収容されて、前記供給された液状物質と部分的に接触し、前記側面（２１，２１’，２１”）の一部分が、更に、前記定形閉じストリップ（１３，１３’，１３”）と補形し合う形状に形づくられていることを特徴とする装置（１０）。
【請求項２】
請求項１記載の装置（１０）において、更に、前記側面（２１，２１’，２１”）と横接触するスクレーパ要素（２０）を包含することを特徴とする装置（１０）。
【請求項３】
請求項２記載の装置（１０）において、前記スクレーパ要素（２０）がその対向する４つの側部に設けられた４つの部分を包含し、前記スクレーパ要素（２０）が、選択的に前記４つの部分のひとつを前記側面（２１，２１’，２１”）と接触せしめるよう位置されるように移動可能であることを特徴とする装置（１０）。
【請求項４】
請求項３記載の装置（１０）において、前記スクレーパ要素（２０）が前記容器要素（１７）との接続のためのピンのまわりを回転できることを特徴とする装置（１０）。
【請求項５】
請求項１記載の装置（１０）において、前記側面（２１）の一部分が少なくともひとつの円環形の突出形状に形づくられていることを特徴とする装置（１０）。
【請求項６】
請求項１記載の装置（１０）において、前記側面（２１’）の一部分が少なくともひとつの三角形の突出形状に形づくられていることを特徴とする装置（１０）。
【請求項７】
請求項１記載の装置（１０）において、前記側面（２１”）の一部分が少なくともひとつの長円形の突出形状に形づくられていることを特徴とする装置（１０）。
【請求項８】
請求項１記載の装置（１０）において、前記第１及び第２の円筒形要素（１８，１９）の少なくとも一方がモータ式駆動手段により回転させられることを特徴とする装置（１０）。
【請求項９】
請求項１記載の装置（１０）において、更に、前記封筒（１２，１２’，１２”）のための少なくともひとつのコンベヤ（２０）を包含することを特徴とする装置（１０）。
【発明の詳細な説明】
【技術分野】
【０００１】
本発明は、特に閉じストリップが設けられている封筒のための液状物質を塗布する、改良した装置に関する。
【背景技術】
【０００２】
現在、非常に異なる幾何学形状の閉じストリップが設けられている、種々の種類の封筒が広く入手できて使用されている。
【０００３】
例えば、これらの封筒の閉じストリップの幾何学的形状を矩形、三角形、長円形などに作ることができることが参照される。
【０００４】
そして、現在は、特に、封筒それ自体をしっかりした密閉物にすることを保証するために、液状物質（a fluid behaviour substance）を閉じストリップの外周面に塗布することが行われている。液状物質は、一般には、接着剤であり、又は、他の物質、例えば、ストリップが水分を加えることにより活性化、すなわち溶融せしめることができる接着剤が塗布されている部分をすでに有している場合には、普通の水である。
【０００５】
前記液状物質の目的は、封筒の、ストリップ以外の残り部分に対してストリップを確実に密封せしめ、これにより、封筒が自然に開いたり及び／又は偶然に開いたりすることがないように封筒を保護することにある。
【０００６】
しかしながら、現在、液状物質を前述した閉じストリップに要領よく塗布することができる自動化装置は存在せず、したがって、しばしば液状物質の無駄が生じる。
【０００７】
更に、現在、封筒の、現在存在している種類の異なる幾何学的形状の閉じストリップのすべてに液状物質を要領良く塗布することができる自動化装置も存在していない。
【発明の開示】
【発明が解決しようとする課題】
【０００８】
本発明の目的は、公知技術の前述した欠点を非常に簡単に、かつ安価及び特別の機能的方法により除去することができる装置を提供することにある。
【０００９】
本発明の他の目的は、特に閉じストリップが設けられている封筒のための液状物質を塗布する装置であって、液状物質の無駄を除去することができる、改良した装置を提供することにある。
【００１０】
本発明の更に他の目的は、特に閉じストリップが設けられている封筒のための液状物質を塗布する装置であって、封筒の、現在まで利用できるすべての種類の幾何学形状の閉じストリップに液状物質を塗布することができる、改良した装置を提供することにある。
【課題を解決するための手段】
【００１１】
本発明のこれらの目的は、請求項１に記載されている、特に閉じストリップが設けられている封筒のための液状物質を塗布する、改良した装置を提供することにより、達成される。
【００１２】
本発明の他の特徴は、従属する請求項に記載されている。
【００１３】
特に閉じストリップが設けられている封筒のための液状物質を塗布する、本発明による改良した装置の特徴及び利点は、添付図面を参照して述べられる下記の例示的及び非限定的な説明から明らかになるであろう。
【発明を実施するための最良の形態】
【００１４】
図１、図３ａ−３ｃ、図４及び図５を参照するに、これらの図には、閉じストリップ１３，１３’，１３”が設けられている封筒１２，１２’，１２”のための液状物質を塗布する、本発明による改良した装置１０が示されている。
【００１５】
用語“液状物質”とは、一般には、接着剤、又は例えば、閉じストリップ１３，１３’，１３”に予め塗布した接着剤を活性化、すなわち溶融せしめることができる普通の水のような他の物質を意味する。
【００１６】
図３ａ−３ｃを見ることができるように、閉じストリップ１３，１３’，１３”（これらの面に、本発明による改良した装置１０が液状物質を塗布する）は、一定の形状に形づくられ、一般には、種々の任意の幾何学的形状に形づくることができる。
【００１７】
封筒１２，１２’，１２”の定形閉じストリップ１３，１３’，１３”に液状物質を塗布することができるようにするために、装置１０は、図１、図２ａ−２ｃ、図４及び図５に示されているように、液状物質のための供給装置１４と、供給された液状物質を収容する容器要素１７と、第１の円筒形要素１８と、第２の円筒形要素１９とを包含し、これらの２つの円筒形要素１８及び１９はそれらの平行軸線のまわりを回転する。
【００１８】
本発明によれば、装置１０は、また、図１にのみ示されているスクレーパ要素２０を包含することができ、このスクレーパ要素２０は第２の円筒形要素１９と横接触している。
【００１９】
より詳細には、第１及び第２の円筒形要素１８，１９は、図４及び図５に示されているように、封筒１２，１２’，１２”の通路を画定するカレンダー構体を形成するために互いに半径方向において対面するように配置されている。そして、供給装置１４は、液状物質のための容器要素１５と、液状物質を容器要素１７にまで通過せしめるための接続要素１６とを包含する。
【００２０】
更に、本発明によれば、第２の円筒形要素１９には、図２ａ−２ｃ及び図５に示されているように、少なくとも一部分が一定の形状に形づくられている側面、２１，２１’，２１”が設けられている。そして、この第２の円筒形要素１９は、側面２１，２１’，２１”が容器要素１７の下部分に部分的に収容されるように配置され、容器要素１７は、したがって、上部分が開口し、側面２１，２１’，２１”が容器要素１７に供給されて収容されている液状物質と接触している。
【００２１】
図５に示されている好適な実施例において見ることができるように、側面２１，２１’，２１”は、好適には、一定の形状に形づけられている、その少なくとも一部分のみが液状物質と接触するようにしている。
【００２２】
もしスクレーパ要素２０が設けられている場合には、このスクレーパ要素２０は、第２の円筒形要素１９の回転の間中、側面２１，２１’，２１”と横接触して作用する。
【００２３】
図２ａ−２ｃ及び図３ａ−３ｃに見ることができるように、側面２１，２１’，２１”は要求に依存してその一部分を異なる形状に形づくることができる。
【００２４】
より詳細には、側面２１，２１’，２１”は封筒１２，１２’，１２”の定形閉じストリップ１３，１３’，１３”（これらの面に液状物質が塗布されるようにされている）と補形し合う形状にその一部分が形づくられる。
【００２５】
前述したように、もしスクレーパ要素２０がある場合には、このスクレーパ要素２０は第２の円筒形要素１９の側面２１，２１’，２１”と接触する。より詳細には、スクレーパ要素２０は、その接触部分が側面２１，２１’，２１”と補形し合う形状に形づくられ、そして、側面２１，２１’，２１”が封筒１２，１２’，１２”の定形閉じストリップ１３，１３’，１３”と補形し合う形状に形づくられる。
【００２６】
また、図１に概略的に示されている例に見ることができるように、スクレーパ要素２０は幾つかの表面を包含することができ、これらの表面は側面２１，２１’，２１”と補形し合う形状に形づくられ、そのひとつのみが一時に第２の円筒形要素１９に対して作用する。
【００２７】
更に、有益には、スクレーパ要素２０を移動可能な構成とすることができ、例えば、スクレーパ要素２０はこのスクレーパ要素を容器要素１７に接続するための中央ピンのまわりを回転し、選択的に、その幾つかの表面のひとつを側面２１，２１’，２１”と接触させて位置せしめる。
【００２８】
第２の円筒形要素１９の側面２１，２１’，２１”の一定の形状に形づくられる、その少なくとも一部分に関し、この定形部分は上面に液状物質を塗布されるようにされている定形閉じストリップ１３，１３’，１３”と補形し合う形状である限り、どのような形状にもすることができるものである。
【００２９】
本発明の３つの異なる実施可能な例が、次に述べられている。
【００３０】
図２ａに示されている第１の実施例は、装置１０が封筒１２の、非常に一般的で現在知られている矩形の形状であるストリップ１３に液状物質を直線状に塗布することを示している。
【００３１】
より詳細には、液状物質を前述したストリップ１３の幾何学形状と一緒にするように塗布するために、装置１０は少なくともひとつの突出する円環状の形状に一部分が形づくられている側面２１が設けられている第２の円筒形要素１９を包含する。
【００３２】
このような円環状の突出部分２１は、図２ａの斜視図に示されている。
【００３３】
この実施例において、側面２１、より詳細には、有益には少なくともひとつのみの円環状の突出部分は、第２の円筒形要素１９が回転したとき、容器要素１７内に供給されて収容されている液状物質の一部分を取り上げて保持する。
【００３４】
液状物質の過剰部分は、スクレーパ要素２０により容器要素１７内に再び導入される。
【００３５】
このような状態において、封筒１２、より詳細には、矩形状のストリップ１３が２つの回転する円筒形要素１８及び１９のカレンダー構体を直線方向に通過する。
【００３６】
この通過の間に、ストリップ１３はその一方の側面が側面２１の円環状突出部分と接触し、円環状突出部分はその保持している液状物質の一部分を関連するストリップ１３に付着せしめる。
【００３７】
ストリップ１３の定形部分と側面２１の円環状の突出部分とは補形し合う形状とされているので、ストリップ１３の矩形形状に沿う液状物質の正確な位置決めが保証され、所要の長さにわたってのみ液状物質が塗布される。
【００３８】
同じ原理が、また、図２ｂに示されている実施例に対しても有効であり、図２ｂは装置１０が封筒１２’の三角形状であるストリップ１３’に液状物質をＶ字形状に塗布することを示している。
【００３９】
この装置１０は、また、図４及び図５にも示されている。
【００４０】
より詳細には、液状物質を前述したストリップ１３’の幾何学形状と一緒にするように塗布するために、装置１０は少なくともひとつの突出する三角形の形状に一部分が形づくられている側面２１’が設けられている第２の円筒形要素１９を包含する。このような三角形状の突出部分２１’は、図２ｂの斜視図及び図５に示されている。
【００４１】
この実施例において、側面２１’、より詳細には、有益には少なくともひとつのみの三角形状の突出部分は、第２の円筒形要素１９が回転したとき、容器要素１７内に供給されて収容されている液状物質の一部分を取り上げて保持する。
【００４２】
前述したように、液状物質の過剰部分は、スクレーパ要素２０により容器要素１７内に再び導入される。
【００４３】
このような状態において、封筒１２’、より詳細には、三角形状のストリップ１３が２つの回転する円筒形要素１８及び１９のカレンダー構体を直線方向に通過する。
【００４４】
したがって、この通過の間に、ストリップ１３’はその一方の側面が側面２１’の三角形状突出部分と接触し、三角形状突出部分はその保持している液状物質の一部分を関連するストリップ１３’に付着せしめる。
【００４５】
ストリップ１３’の定形部分と側面２１’の三角形状の突出部分とは補形し合う形状とされているので、ストリップ１３’の三角形状に沿う液状物質の正確な位置決めが保証され、液状物質が封筒から漏れることはない。
【００４６】
更に他の実施例が、図２ｃに示されており、図２ｃは装置１０が封筒１２”の長円形状であるストリップ１３”に液状物質を円弧状に塗布することを示している。
【００４７】
より詳細には、液状物質を前述したストリップ１３”の幾何学形状と一緒にするように塗布するために、装置１０は少なくともひとつの突出する長円形の形状に一部分が形づくられている側面２１”が設けられている第２の円筒形要素１９を包含する。このような長円形の突出部分２１”は、図２ｃの斜視図に示されている。
【００４８】
この実施例において、側面２１”、より詳細には、有益には少なくともひとつのみの長円形の突出部分は、第２の円筒形要素１９が回転したとき、容器要素１７内に供給されて収容されている液状物質の一部分を取り上げて保持する。
【００４９】
液状物質の過剰部分は、スクレーパ要素２０により容器要素１７内に再び導入される。
【００５０】
このような状態において、封筒１２”、より詳細には、長円形状のストリップ１３”が２つの回転する円筒形要素１８及び１９のカレンダー構体を直線方向に通過する。したがって、この通過の間に、ストリップ１３”はその一方の側面が側面２１”の長円形状突出部分と接触し、長円形状突出部分はその保持している液状物質の一部分を関連するストリップ１３”に付着せしめる。
【００５１】
ストリップ１３”の定形部分と側面２１”の長円形状の突出部分とは補形し合う形状とされているので、ストリップ１３”の長円形状に沿う液状物質の正確な位置決めが保証される。
【００５２】
更に、本発明は、第１及び第２の円筒形要素１８及び１９の少なくとも一方が図示していないモータ式駆動手段により回転させられるような構成としている。
【００５３】
最後に、本発明は、装置１０が、更に、図５及び図６に示されているように、前述した封筒１２，１２’，１２”を整列せしめるための少なくともひとつの押し装置３１を設けることができる少なくともひとつのコンベヤ３０を包含し、このコンベヤ３０が、ストリップ１３，１３’，１３”が液状物質を保持している少なくともひとつの定形突出部分が設けられている、円筒形要素１９の側面２１，２１’，２１”と接触して通過するように、前述の封筒１２，１２’，１２”を２つの円筒形要素１８及び１９により形成したカレンダー構体の上流から下流へと輸送するような構成としている。
【００５４】
本発明による装置１０の作用を理解することは、非常に容易である。
【００５５】
装置１０は供給装置１４により供給された液状物質のための容器要素１７を包含し、この容器要素１７の中に円筒形要素１８の側面２１，２１’，２１”が部分的に位置させられ、この側面２１，２１’，２１”には少なくともひとつの一定の形状の部分、好適には、円筒形要素１９から突出している定形突出部分が設けられている。
【００５６】
円筒形要素１９は回転可能であり、この円筒形要素１９を回転せしめるときに、有益にはその側面２１，２１’，２１”の部分的に突出している定形突出部分の上にのみ、容器要素１７内に収容されている液状物質の一部分を取り上げて保持する。
【００５７】
好適には、側面２１，２１’，２１”により採集された液状物質の過剰部分は、側面２１，２１’，２１”上に作用するスクレーパ要素２０により容器要素１７内に再び導入される。
【００５８】
このような方法により、液状物質の無駄は除去される。また、スクレーパ要素２０を移動可能にすると共にスクレーパ要素２０に幾つかの側面を設け、ひとつの側面が摩耗したときには、スクレーパ要素２０の全体を交換する必要なしに、スクレーパ要素２０を他の側面でもって再配置することができるような構成とすることができる。
【００５９】
封筒１２，１２’，１２”、より詳細には、そのストリップ１３，１３’，１３”を、回転円筒形要素１９及びこの回転円筒形要素１９と組み合わせた他の回転円筒形要素１８により形成したカレンダー構体を通過させることにより、ストリップ１３，１３’，１３”の一方の側面が回転円筒形要素１９の側面２１，２１’，２１”の、液状物質を保持している定形突出部分と接触させられ、これにより、液状物質の一部分をストリップ１３，１３’，１３”上に付着せしめる。
【００６０】
前述したように、液状物質は、一般には接着剤、又は、例えば、ストリップ１３，１３’，１３”上に予め付着した接着剤を活性化、すなわち溶融せしめることができる普通の水のような他の物質とすることができる。
【００６１】
本発明によれば、ストリップ１３，１３’，１３”の定形部分と側面２１，２１’，２１”の定形部分とが補形し合う形状とされているので、ストリップ１３，１３’，１３”の形状に沿う液状物質の正確な位置決めが、ストリップの形状の種類に関係なく、保証される。
【００６２】
このような方法により、装置１０は、公知技術の前述した欠点を非常に簡単に、かつ安価及び特別の機能的な方法により除去することができる。
【００６３】
より詳細には、本発明による装置１０は、現在利用することができる封筒のすべての種類の幾何学的形状の閉じストリップに液状物質を理想的な方法で塗布することにより、液状物質の無駄な除去することを保証する。
【００６４】
したがって、特に閉じストリップが設けられている封筒のための液状物質を塗布する、本発明による改良した装置は、前述した目的のすべてを達成することを認識されたであろう。
【００６５】
特に閉じストリップが設けられている封筒のための液状物質を塗布する、本発明により改良した装置は種々の変形及び変更を行うことができるものであり、これらの変形及び変更のすべてが本発明の概念に含まれるものである。また、前述したすべての詳部は技術的に等価な要素に代えることができる。実際に、用いられる詳部の材料は、それらの寸法に加え、技術的な要求に依存して変えることができる。
【図面の簡単な説明】
【００６６】
【図１】特に閉じストリップが設けられている封筒のための液状物質を塗布する、本発明による改良した装置の概略斜視図である。
【図２ａ−２ｃ】特に閉じストリップが設けられている封筒のための液状物質を塗布する、本発明による改良した装置の構成部品の３つの異なる実施例の概略斜視図である。
【図３ａ−３ｃ】それぞれ図２ａ〜２ｃの構成部品を備えて、液状物質を塗布する、本発明による３つの異なる改良した装置により密封可能な３つの異なる定形閉じストリップが設けられている３つの異なる封筒の概略平面図である。
【図４】特に閉じストリップが設けられている封筒のための液状物質を塗布する、本発明による他の改良した装置の一部概略平面図である。
【図５】特に閉じストリップが設けられている封筒のための液状物質を塗布する、本発明による前記他の改良した装置を、図４の矢印Ｆの方向から見た図である。
【図１】
2008279443.tif 000003
【図２ａ】
2008279443.tif 000004
【図２ｂ】
2008279443.tif 000005
【図２ｃ】
2008279443.tif 000006
【図３ａ】
2008279443.tif 000007
【図３ｂ】
2008279443.tif 000008
【図３ｃ】
2008279443.tif 000009
【図４】
2008279443.tif 000010
【図５】
2008279443.tif 000011
【外国語明細書】
2008279443000001.pdf
2008279443000002.pdf
2008279443000003.pdf
2008279443000004.pdf